(57)【特許請求の範囲】
【請求項１】
符号化された通信データを出力する通信データ生成装置と、この通信データによって搬送波を変調して送信する出力装置とを有するスペクトル拡散通信システム用の送信装置において、
前記通信データ生成装置は、入力されるシリアルデータを複数のパラレルデータに変換し、各々のパラレルデータと直交化された拡散符号とを乗算して加算することにより第１の符号化データを生成する第１の符号化装置と、
この第１の符号化データを基準値との比の第２の符号化データに変換し、この第２の符号化データおよび前記基準値を示す基準データとを同一のチップレートで異なる時刻に前記通信データとして出力する第２の符号化装置とを備えていることを特徴とするスペクトル拡散通信システム用の送信装置。
【請求項２】
請求項１において、前記基準データは時間とともに変動することを特徴とするスペクトル拡散通信システム用の送信装置。
【請求項３】
請求項１において、２組の前記通信データ生成装置を有し、前記出力装置は、前記２組の通信データ生成装置のそれぞれの通信データによって搬送波を直交変調することを特徴とするスペクトル拡散通信システム用の送信装置。
【請求項４】
受信した信号を復調し、通信内容を示す第２の符号化データおよび基準値を示す基準データを含む通信データを取得する入力装置と、
前記通信データを復号する受信データ生成装置とを有し、
前記受信データ生成装置は、前記第２の符号化データを前記基準値で除算して第１の符号化データを生成する第１の復号装置と、
この第１の符号化データに直交化された拡散符号を乗算して複数のパラレルデータを生成し、これら複数のパラレルデータをシリアルデータに変換して出力する第２の復号装置とを備えていることを特徴とするスペクトル拡散通信システム用の受信装置。
【請求項５】
請求項１に記載の送信装置と、請求項４に記載の受信装置とを有することを特徴とするスペクトル拡散通信システム。
【請求項６】
符号化された通信データによって変調された搬送波を送信し、受信した搬送波が復調された通信データを復号するスペクトル拡散通信システムにおいて、
前記通信データは、入力されるシリアルデータを複数のパラレルデータに変換し、各々のパラレルデータと直交化された拡散符号とを乗算して加算することにより第１の符号化データに変換する第１の符号化処理と、
第１の符号化データを基準値との比の第２の符号化データに変換し、この第２の符号化データおよび前記基準値を示す基準データとを同一のチップレートで異なる時刻に前記通信データとして出力する第２の符号化処理が施されていることを特徴とするスペクトル拡散通信システム。
【請求項７】
符号化された通信データによって変調された搬送波を送信し、受信した搬送波が復調された通信データを復号するスペクトル拡散通信方法において、
前記通信データは、入力されるシリアルデータを複数のパラレルデータに変換し、各々のパラレルデータと直交化された拡散符号とを乗算して加算することにより第１の符号化データに変換する第１の符号化処理と、
第１の符号化データを基準値との比の第２の符号化データに変換し、この第２の符号化データおよび前記基準値を示す基準データとを同一のチップレートで異なる時刻に前記通信データとして出力する第２の符号化処理が施されていることを特徴とするスペクトル拡散通信方法。
【請求項８】
符号化された通信データによって変調された搬送波を送信する送信工程と、受信した搬送波が復調された通信データを復号する受信工程とを有するスペクトル拡散通信方法において、
前記送信工程は、入力されるシリアルデータを複数のパラレルデータに変換し、各々のパラレルデータと直交化された拡散符号とを乗算して加算することにより第１の符号化データに変換する第１の符号化工程と、
第１の符号化データを基準値との比の第２の符号化データに変換し、この第２の符号化データおよび前記基準値を示す基準データとを同一のチップレートで異なる時刻に前記通信データとして出力する第２の符号化工程とを備えており、
前記受信工程は、前記通信データの第２の符号化データを前記基準値で除算して前記第１の符号化データを生成する第１の復号工程と、
この第１の符号化データに直交化された拡散符号を乗算して複数のパラレルデータを生成し、これら複数のパラレルデータをシリアルデータに変換して出力する第２の復号工程とを備えていることを特徴とするスペクトル拡散通信方法。
【発明の詳細な説明】
【０００１】
【発明の属する技術分野】
本発明は、符号化を施した通信データによって変調された搬送波を送信し、受信した搬送波を復調して通信データを復号するスペクトル拡散通信システムおよびスペクトル拡散通信方法に関するものである。
【０００２】
【従来の技術】
従来のスペクトル拡散通信システムに用いられている送信機および受信機の例を、それぞれ図７および図８に示してある。図７に示すように、スペクトル拡散通信システムに用いられる送信機７０は、符号化を施した通信データを出力する通信データ生成装置７１と、この通信データによって搬送波を変調して送信する出力装置７２とを有している。
【０００３】
通信データ生成装置７１は、入力端子１１を備えており、この入力端子１１には、送信するデジタルデータとして＋１と−１の２つのレベルを取る２値信号が入力される。この２値信号はシンボルレートで変化する信号である。入力端子１１に入力された送信データ（２値信号）は、乗算器７３において拡散符号発生器７４の出力と乗算されて符号化処理が施され、その後、出力装置７２に供給される。拡散符号発生器７４の出力は＋１と−１の２つのレベルを取る疑似ランダム系列であり、シンボルレートより高速なチップレートで変化する。このようにして、通信データ生成装置７１から符号化が施された通信データが出力装置７２に出力される。一方、出力装置７２は、搬送波を出力する局部発振器２５と、供給された通信データによって搬送波を変調する変調器２４とを備えており、変調器２４の出力は周波数変換部２６において空間を伝搬する周波数に変換され、その後、増幅器２７において増幅される。増幅された後は、アンテナ２８より送信される。
【０００４】
一方、図８に示すように、スペクトル拡散通信システムの受信機８０は、受信した信号を復調して通信内容を示す符号化が施された通信データに変換する入力装置８１と、この符号化が施された通信データを復号する受信データ生成装置８２とを有している。
【０００５】
入力装置８１は、アンテナ３１を備えており、このアンテナ３１に入力された受信信号は増幅器３２で増幅された後、周波数変換部３３において中間周波数に変換される。この中間周波数信号は、局部発振器３５の出力する搬送波と共にミキサ３４に入力されて、ベースバンド信号に変換され、受信データ生成部８２に供給される。
【０００６】
受信データ生成装置８２は、乗算器４３を備えており、入力装置８１から供給された信号が乗算器４３において送信側と同一の疑似ランダム系列と乗算される。この疑似ランダム系列を送信側と同一の位相にするために、乗算器４３の出力は積分器４５に入力されて送信データの１シンボル継続時間の積分操作の後、同期回路４６によって積分出力の振幅が最大となるように拡散符号発生器４４の位相が制御される。積分器４５の出力はさらに識別器４７に入力されて信号振幅の正負が判定された後、出力端子４２に出力される。
【０００７】
このようなスペクトル拡散通信システムにおいて情報伝送速度を上げるために、送信機７０の入力端子１１に供給される送信データのシンボルレートを上げると拡散比が確保できなくなる。一方、スペクトル拡散通信システムでは、互いに直交する複数の拡散信号を用いて情報を多重化して送信することにより、１度に送信できる情報量を増やすことができる。従って、情報を多重化して送信すれば情報伝送速度を実質的に高めることができる。このようなスペクトル拡散通信システムは特開平７−１４５３６５号公報等に開示されており、この多重化したスペクトル拡散通信システムの送信機および受信機の例を、それぞれ、図９および図１０に示してある。
【０００８】
図９に示す送信機７５の通信データ生成装置７１は、入力端子１１から入力された送信データ（シリアルデータ）をパラレルデータに変換する直列−並列変換回路１４を備えている。この直列−並列変換回路１４で分離された各々のパラレルデータは、対応する乗算器１８、１９および２０において拡散符号が乗算される。ここで、それぞれの拡散符号発生器１５、１６および１７は互いに直交する拡散符号を出力するようになっており、拡散符号が乗算されたデータは加算器２１において加算されて情報が多重化される。加算器２１の出力は、前述したように、出力装置７２の変調器２４において局部発振器２５からの搬送波を変調する。変調器２４からの出力は、周波数変換部２６において周波数変換された後、増幅器２７において増幅され、アンテナ２８より送信される。
【０００９】
図１０に示す受信機８５は、前述した受信機８０の入力装置８１と同様の入力装置８１を有しており、この入力装置８１によって生成されたペースバンド信号は、３つのパラレルデータに分岐して受信データ生成装置８２のパラレルデータ生成装置３８、３９および４０に供給される。パラレルデータ生成装置３８、３９、４０に供給されたパラレルデータは、その各々に送信側と同一でかつ位相も一致している拡散符号が乗算され、その後、並列−直列変換回路４１においてシリアルデータに変換されて出力端子４２より出力される。なお、このような受信機８５の情報伝送速度は多重数に比例して増加する。
【００１０】
ここで、局部発振器２５の出力する搬送波周波数をωとし、また、変調方式をＢＰＳＫ（Ｂｉｎａｒｙ  Ｐｈａｓｅ  Ｓｈｉｆｔ  Ｋｅｙｉｎｇ）  とする。このようにすると、乗算器１８、１９およぼ２０の出力を加算器２１で加算した出力Ｖａｄｄは下式（１）で表される。
【００１１】
【数１】
0003632412.tif 000002
【００１２】
従って、変調器２４の出力Ｖは下式（２）で表される。
【００１３】
【数２】
0003632412.tif 000003
【００１４】
このように、通信データの振幅は４つのレベルを取る。
【００１５】
【発明が解決しようとする課題】
しかしながら、送信機と受信機を結ぶ伝搬経路が複数存在するマルチパスが形成されると、フェージングによって通信データの振幅が変動することがある。上述した多重化したスペクトル拡散通信システムでは、振幅に情報をのせているため、マルチパスのフェージングによる振幅変動があると通信データの品質が劣化してしまう。特に、多重数が増大すると、通信データの振幅レベルも増え、マルチパスの影響はより大きくなる。
【００１６】
チップレートに比較して充分遅い振幅変動に対しては、自動利得制御（ＡＧＣ）回路を設けることによりマルチパスの影響を抑制できる。しかしながら、ＡＧＣ回路の応答をチップレート程度まで高めると、チップレートで変化する信号の振幅成分そのものをつぶしてしまい、ＡＧＣ回路によって通信データの品質が劣化してしまう。このため、ＡＧＣ回路によってはチップレート程度の高速な振幅変動には対応できない。高速な振幅変動に対応するには、複雑な回路構成およびその制御を必要とするため、スペクトル拡散通信システムが高価なものとなり、汎用性を欠いてしまう。
【００１７】
そこで、本発明においては、高速な情報伝送速度を持ちつつ、簡易な回路構成で振幅変動の影響を抑制できるスペクトル拡散送信装置および受信装置を備えた通信システムおよび通信方法を提供することを目的としている。
【００１８】
【課題を解決するための手段】
このため、本発明のスペクトル拡散通信システムおよびスペクトル拡散通信方法においては、パラレルデータのそれぞれに直交化した拡散符号を乗算してベースバンド帯にて加算することにより第１の符号化データを生成した後にさらに、、この第１の符号化データを基準値との比をとって第２の符号化データに変換し、この第２の符号化データと上記基準値を示す基準データとを同一のチップレートで異なる時刻に通信データとして出力するようにしている。一方、受信側では、受信した信号を復調して第２の符号化データと基準データとを含む通信データを取得し、第２の符号化データを基準値で除算して第１の符号化データを生成するようにしている。
【００１９】
すなわち、本発明のスペクトル拡散通信システム用の送信装置では、符号化された通信データを出力する通信データ生成装置と、この通信データによって搬送波を変調して送信する出力装置とを有する送信装置において、通信データ生成装置は、入力されるシリアルデータを複数のパラレルデータに変換し、各々のパラレルデータと直交化された拡散符号とを乗算して加算することにより第１の符号化データを生成する第１の符号化装置と、この第１の符号化データを基準値との比の第２の符号化データに変換し、この第２の符号化データおよび前記基準値を示す基準データとを同一のチップレートで異なる時刻に前記通信データとして出力する第２の符号化装置とを備えていることを特徴としている。
【００２０】
また、本発明のスペクトル拡散通信システム用の受信装置では、受信した信号を復調して通信内容を示す第２の符号化データおよび基準値を示す基準データを含む通信データを取得する入力装置と、通信データを複合する受信データ生成装置とを有し、受信データ生成装置は、第２の符号化データを基準値で除算して第１の符号化データを生成する第１の復号装置と、この第１の符号化データに直交化された拡散符号を乗算して複数のパラレルデータを生成し、これら複数のパラレルデータをシリアルデータに変換して出力する第２の復号装置とを備えていることを特徴としている。
【００２１】
このような送信装置および受信装置を用いた本発明のスペクトル拡散通信システムあるいはスペクトル拡散通信方法では、符号化された通信データによって変調された搬送波を送信し、受信した搬送波が復調された通信データを復号するスペクトル拡散通信システムあるいはスペクトル拡散通信方法において、通信データは、入力されるシリアルデータを複数のパラレルデータに変換し、各々のパラレルデータと直交化された拡散符号とを乗算して加算することにより第１の符号化データに変換する第１の符号化処理と、第１の符号化データを基準値との比の第２の符号化データに変換し、この第２の符号化データおよび基準値を示す基準データとを同一のチップレートで異なる時刻に通信データとして出力する第２の符号化処理が施されていることを特徴としている。
【００２２】
このような本発明のスペクトル拡散通信システムおよびスペクトル拡散通信方法では、基準値を示す基準データおよび第２の符号化データの双方がほぼ同様に振幅変動の影響を受けるので、復号するときに第２の符号化データを基準値で除算することにより振幅変動の影響を相殺することができ、正確な第１の符号化データを再生できる。従って、マルチパスのフェージングによる振幅変動があっても多重化された通信データの品質の劣化を防止できる。また、高速な振幅変動に対応するための複雑な回路構成およびその制御が不要である。従って、高速な情報伝送速度を持ちつつ、簡易な回路構成で振幅変動の影響を抑制できる汎用性に優れたスペクトル拡散通信システムを実現できる。
【００２３】
なお、基準データは常に決められた値ではなく、時間とともに変動するようにしても良い。また、送信装置として、２組の通信データ生成装置とを有し、出力装置に、２組の通信データ生成装置のそれぞれの通信データによって搬送波を直交変調するようにした装置を採用することが可能である。
【００２４】
【発明の実施の形態】
以下に図面を参照しながら本発明を適用したスペクトル拡散通信システムを説明する。図１に、本例のスペクトル拡散通信システムの送信装置の概略構成を示し、図２に、本例のスペクトル拡散通信システムの受信装置の概略構成をブロック図を用いて示してある。本例の送信装置２は、±１の２つのレベルを取る２値信号がシンボルレートで変化する送信データ（シリアルデータ）φ１が入力される装置であり、このシリアルデータφ１を符号化して通信データφ２として出力する通信データ生成装置３と、この通信データφ２によって搬送波を変調して送信する出力装置４とを有している。
【００２５】
通信データ生成装置３は、シリアルデータφ１が入力される入力端子１１と、入力端子１１に入力されたシリアルデータφ１を複数のパラレルデータに変換し、各々のパラレルデータを直交化された拡散符号とを乗算して加算することにより第１の符号化データφ３を生成する第１の符号化装置１２と、この第１の符号化データφ３を所定の基準値との比の第２の符号化データφ４に変換し、この第２の符号化データφ４と基準値を示す基準データφ５とを同一のチップレートで異なる時刻に通信データφ２として出力する第２の符号化装置１３とを有している。
【００２６】
第１の符号化装置１２は、入力端子１１に入力されたシリアルデータφ１を３つのパラレルデータφ６に変換する直列−並列変換器１４と、この直列−並列変換器１４の並列数に等しい数だけ互いに直交化された拡散符号を発生する第１、第２および第３の拡散符号発生器１５、１６および１７と、パラレルデータφ６の各々と第１、第２および第３の拡散符号発生器１５、１６および１７の出力する拡散符号とを乗算する乗算器１８、１９および２０と、これらの乗算器１８、１９および２０によって乗算された信号を加算する加算器２１とを備えている。
【００２７】
第２の符号化装置１３は、第１の符号化装置１２からの第１の符号化データφ３を所定の基準値との比の第２の符号化データφ４に変換する第１の除算回路２２と、この第２の符号化データφ４および基準値を示す基準データφ５とを同一のチップレートで異なる時刻に通信データφ２として出力する送信演算回路２３とを備えている。
【００２８】
出力装置４は、通信データ生成装置３からの通信データφ２（第２の符号化データφ４および基準データφ５）によって搬送波を変調する変調器２４と、搬送波を出力する局部発振器２５と、変調器２４において変調された通信データφ２の周波数を変換する周波数変換部２６と、周波数変換部２６から出力された通信データφ２を増幅する増幅器２７と、増幅器２７において増幅された通信データφ２を送信するアンテナ２８とを備えている。
【００２９】
一方、図２に示すように、本例のスペクトル拡散通信システムの受信装置５は、受信した信号を復調して通信内容を示す第２の符号化データφ４および基準値を示す基準データφ５を含む通信データφ２を取得する入力装置６と、入力装置６で取得した通信データφ２を復号する受信データ生成装置７とを有している。
【００３０】
入力装置６は、通信データφ２を受信するアンテナ３１と、アンテナ３１で受信した通信データφ２を増幅する増幅器３２と、増幅器３２で増幅された通信データφ２を中間周波数信号に変換する周波数変換部３３と、中間周波数信号をベースバンド信号に変換するミキサ３４および局部発振器３５とを備えている。
【００３１】
受信データ生成装置７は、第２の符号化データφ４を基準値で除算して第１の符号化データφ３を生成する第１の符号装置としての第２の除算回路３６と、この第１の符号化データφ３に直交化された拡散符号を乗算して複数のパラレルデータφ２を生成し、これらの複数のパラレルデータφ６をシリアルデータφ１に変換して出力する第２の復号装置３７とを備えている。第２の復号装置３７は３つパラレルデータφ６を生成するための３組のパラレルデータ生成装置３８、３９および４０と、これらのパラレルデータ生成装置３８、３９および４０によって生成されたパラレルデータφ６をシリアルデータφ１に変換する並列−直列変換回路４１と、シリアルデータφ１を出力するための出力端子４２とを備えている。各パラレルデータ生成装置３８、３９および４０は、従来の受信装置８５のパラレルデータ生成装置と同様に、それぞれ、乗算器４３、拡散符号発生器４４、積分器４５、同期回路４６および識別器４７を備えている。
【００３２】
次に、本例の送信装置３および受信装置５を用いたスペクトル拡散通信について説明する。図３には送信装置２におけるデータ処理をフローチャートを用いて示してある。まず、ステップＳＴ１において、入力端子１１にシリアルデータφ１が入力されると、ステップＳＴ２で直列−並列変換回路１４において３つのパラレルデータに分割され、それぞれのパラレルデータφ６は対応する乗算器１８、１９および２０において直交化された拡散符号が乗算される。各拡散符号発生器１５、１６および１７からは互いに直交化された拡散符号が出力され、情報を多重化できるようになっている。各乗算器１８、１９および２０において拡散符号が乗算されたパラレルデータφ６は加算器２１において全加算されて第１の符号化データφ３とされる。
【００３３】
この第１の符号化データφ３は第２の符号化装置１３において第２の符号化処理１００が施される。すなわち、ステップＳＴ３において、第１の符号化データφ３は、第２の符号化装置１３の第１の除算回路２２において予め決められた基準値との比の第２の符号化データφ４に変換される。次に、ステップＳＴ４において、第２の符号化データφ４は、送信演算回路２３で上記の基準値を示す基準データφ５と共に同一のチップレートで異なる時刻に出力される。本例では、例えば、（３、−５）と変化する第１の符号化データφ３に対して基準値を１に選ぶと、図４（Ａ）に示すように、第２の符号化データφ４は（３、−５）というデータになる。そして、この第２の符号化データφ４と１という基準値を示す基準データφ５は、異なった時刻で最小のチップレート単位で送信演算回路２３から出力される。すなわち、第２の符号化データφ４と基準値を示す基準データφ５が交互に出力される。
【００３４】
次に、ステップＳＴ５において、第２の符号化データφ４と基準データφ５によって局部発振器２５から出力された搬送波を変調する。本例では、変調器２４における変調方式がＢＰＳＫである場合、図４（Ｂ）に示すように、基準データφ５との比の値が３の第２の符号化データφ４は、基準データφ５の信号と同位相で３倍の振幅、比の値が−５の第２の符号化データφ４は、基準データφ５の信号と逆位相で５倍の振幅の正弦波の信号に変換される。
【００３５】
最後に、変調器２４の出力信号は、従来のスペクトル拡散通信システム用の送信機８５と同様に、周波数変換部２６、増幅器２７で適当な処理が施された後に、アンテナ２８から送信される。
【００３６】
図５には受信装置５におけるデータ処理のフローチャートを示してある。受信装置５においては、まず、ステップＳＴ１１で、アンテナ３１で第２の符号化データφ４および基準データφ５によって変調された搬送波を受信すると、その搬送波は増幅器３２で増幅され、周波数変換部３３で中間周波数信号に変換される。次に、ステップＳＴ１２で、中間周波数信号はミキサ３４において復調されて第２の符号化データφ４および基準データφ５に変換され、受信データ生成装置７に出力される。次に、ステップＳＴ１３で、受信データ生成装置７の第２の除算回路３６において、第２の符号化データφ４と基準データφ５との比を除算によって求めることにより、第１の符号化データφ３に変換する。すなわち、第１の復号処理が施される。この時、第２の符号化データφ４および基準データφ５が振幅変動を受けても除算によってその影響が相殺されるため、正確な第１の符号化データφ３を取得できる。次に、ステップＳＴ１４において、第１の符号化データφ３は第２の復号処理が施される。すなわち、第１の符号化データφ３は分岐して、各パラレルデータ生成装置３８、３９および４０においてパラレルデータφ６に変換された後、並列−直列変換回路４１でシリアルデータφ１に変換される。復号時には通信データφ２に先立ってヘッダー等を用いて同期をとることが可能であり、送信された所定のタイミングで第２の符号化データφ４と基準データφ５を分離して復号処理をすることができる。
【００３７】
このように本例の送信装置２および受信装置５を備えたスペクトル拡散通信システムでは、マルチパスのフェージングによる振幅変動を受けると、第２の符号化データφ４と共に基準データφ５もほぼ同程度の振幅変動を影響を受ける。このため、第２の符号化データφ４を基準データφ５によって除算すると、振幅変動の影響が相殺された第１の符号化データφ３を得ることができる。従って、本例の送信装置２および受信装置５を備えたスペクトル拡散通信システムによれば、送信装置２において生成された第１の符号化データφ３を正確に再生できる。また、本例の送信装置２においては、第２の符号化データφ４と基準データφ５を交互に送信するようにしており、第２の符号化データφ４とそのデータφ４を除算するための基準データφ５を一対にして送信するようにしているので、マルチパスの影響を最小限に抑えることができる。すなわち、第２の符号化データφ４と基準データφ５とを送信する時間間隔を長くすると、それぞれのデータが受ける振幅変動が大きさが異なる可能性があるが、本例では、このような弊害を回避できる。従って、マルチパスのフェージングによる振幅変動があっても多重化された通信データの品質の劣化を防止できる。また、高速な振幅変動に対応するための複雑な回路構成およびその制御が不要である。従って、簡易な回路構成で振幅変動の影響を抑制できる汎用性に優れたスペクトル拡散通信システムを実現できる。
【００３８】
なお、図４（Ａ）の例では、第２の符号化データφ４と基準値を示す基準データφ５とを交互に出力している様子を示しているが、この例に限定されることはない。例えば、複数個の第２の符号化データφ４につき１個の基準データφ５を送信するようにしても良い。この場合、受信装置５では、１チップの基準値により変調された信号を用いて複数チップの比を求める除算を行うようにすれば良い。但し、マルチパス等の影響が第２の符号化データφ４と基準データφ５に均等に現れるようにするには基準データφ５の送信インターバルをあまり長くしないほうが好ましい。また、基準値は必ずしも１である必要はなく、また、時間とともに値が変動する、例えば、疑似ランダムな値にしても良い。ランダムに変動する基準値を採用すると、特定のタイミングで特定のデジタル値が現れることに起因する信号の劣化を防止できるので望ましい。
【００３９】
図６に本発明の送信装置の異なった例を示してある。図６に示す送信装置２ａは、２組の通信データ生成装置３ａおよび３ｂを有し、出力装置４は、２組の通信データ生成装置３ａおよび３ｂのそれぞれの通信データによって搬送波を直交変調する直交変調器２４ａを備えている。それぞれの通信データ生成装置３ａ、３ｂ、および出力装置４の構成は上述した例とほぼ同様であるので同一符号を付して説明は省略する。
【００４０】
送信装置２ａは、入力端子１１に入力されたシリアルデータφ１を２つのパラレルデータＩおよびＱに分離する直列−並列変換装置１４ａを備えている。このような送信装置２ａにおいて、入力端子１１から入力されたシリアルデータφ１は、直列−並列変換回路１４ａによって２つのパラレルデータＩおよびＱに分離され、その各々が２組の通信データ生成装置３ａおよび３ｂに入力される。それぞれの通信データ生成装置３ａおよび３ｂでは、前述した通信データ生成装置３と同様に、通信データ生成装置３ａおよび３ｂに入力されたデータを３つのパラレルデータに分離した後、その各々に直交化された拡散符号を乗算し、それらをベースバンド帯にて加算して第１の符号化処理を施す。さらに、この第１の符号化処理が施された第１の符号化データをあらかじめ決められた基準値との比の第２の符号化データに変換して、基準データと共に同一のチップレートで異なる時刻に出力する。そして、出力装置４では、２組の通信データ生成装置３ａおよび３ｂからのそれぞれの第２の符号化データおよび基準データによって、局部発振器２５の出力する搬送波を直交変調器２４において直交変調する。従って、この送信装置２ａは、変調するときに再び多重化することによって前述した送信装置２の２倍のデータを送信可能であり、この結果、伝送速度も２倍となる。また、このようにして送信された通信データφ２を受信する受信装置においては、直交変調器を用いて変調した後に多重化されたデータを分離することができ、それぞれの分離されたデータに対し上記と同様の復調処理を行うことにより通信されたデータを再生することができる。
【００４１】
【発明の効果】
以上説明したように、本発明によれば、従来の多重化したスペクトル拡散通信システムとは異なり、第１の符号化データを基準値とその比である第２の符号化データで表しているため、基準値および第２の符号化データの双方がほぼ同様な振幅変動の影響を受け、これらを除算することにより振幅変動の影響を相殺することができる。従って、マルチパスのフェージングによる振幅変動があっても多重化された通信データの品質の劣化を防止できる。また、高速な振幅変動に対応するための複雑な回路構成およびその制御が不要できる。従って、高速な情報伝送速度を持ちつつ、簡易な回路構成で振幅変動の影響を抑制できる汎用性に優れたスペクトル拡散通信システムを実現できる。
【図面の簡単な説明】
【図１】本発明を適用したスペクトル拡散通信システムの送信装置の概略構成を示すブロック図である。
【図２】本発明を適用したスペクトル拡散通信システムの受信装置の概略構成を示すブロック図である。
【図３】図１に示す送信装置におけるデータ処理のフローチャートである。
【図４】図４（Ａ）は送信演算回路の出力の一例を示す図であり、図４（Ｂ）は変調器の出力の一例を示す図である。
【図５】図２に示す受信装置におけるデータ処理のフローチャートである。
【図６】図１とは異なる例の送信装置の概略構成を示すブロック図である。
【図７】従来のスペクトル拡散通信システムの送信機の概略構成を示すブロック図である。
【図８】従来のスペクトル拡散通信システムの受信機の概略構成を示すブロック図である。
【図９】従来の多重化したスペクトル拡散通信システムの送信機の概略構成を示すブロック図である。
【図１０】従来の多重化したスペクトル拡散通信システムの受信機の概略構成を示すブロック図である。
【符号の説明】
２、２ａ・・スペクトル拡散通信システムの送信装置
３、３ａ、３ｂ・・通信データ生成装置
４・・出力装置
５・・スペクトル拡散通信システムの受信装置
６・・入力装置
７・・受信データ生成装置
１２・・第１の符号化装置
１３・・第２の符号化装置
１４、１４ａ・・直列−並列変換回路
１５、１６、１７・・拡散符号発生器
１８、１９、２０・・乗算器
２１・・加算器
２２・・第１の除算器
２３・・送信演算回路
２４・・変調器
２４ａ・・直交変調器
２５・・局部発振器
３６・・第２の除算回路（第１の復号装置）
３７・・第２の復号装置
３８、３９、４０・・パラレルデータ生成装置
４１・・並列−直列変換装置
【図１】
0003632412.tif 000004
【図２】
0003632412.tif 000005
【図３】
0003632412.tif 000006
【図４】
0003632412.tif 000007
【図５】
0003632412.tif 000008
【図６】
0003632412.tif 000009
【図７】
0003632412.tif 000010
【図８】
0003632412.tif 000011
【図９】
0003632412.tif 000012
【図１０】
0003632412.tif 000013